(57)【特許請求の範囲】
【請求項１】
回転中心とリング状の外壁部とを有し、上コア及び下コアの一対の金型で成形されて成る円筒状回転体において、
リング状リブ部であって、前記上コアにより前記外壁部の内周面と共に形成され、前記外壁部の内径の中心である第１の中心を中心とした内径及び外径を有するリング状リブ部を前記外壁部内に備え、
前記外壁部の外周面を、該外壁部の外径の中心である第２の中心と前記第１の中心とを偏心させると共に前記第２の中心を前記回転中心として前記下コアで形成することにより回転時の重量バランスをとって成ることを特徴とする円筒状回転体。
【発明の詳細な説明】
【０００１】
【発明の属する技術分野】
本発明は、一つの面側に円形凹部を肉抜き形成した円筒状回転体を一対の金型を用いて成形する際、円形凹部と対応する側の金型が金型セパレート面に沿って径方向にずれることによる重量バランスずれを補正する形状を有する円筒状回転体に関するものである。
【０００２】
【従来の技術】
高速回転する円筒状回転体の一例として、ビデオテープレコーダなどに適用される回転ヘッド装置の回転ドラムがある。
【０００３】
図１（Ａ），（Ｂ）は円筒状回転体を適用した回転ヘッド装置の構成を説明するための上面図，縦断面図、図２は一つの面側に円形凹部を形成した回転ドラム（円筒状回転体）を一対の金型を用いて成形する際、円形凹部と対応する側の金型が径方向にずれることによる重量バランスずれが生じる理由を説明するため
の図である。
【０００４】
図１に示した如く、上記回転ヘッド装置１は、シャーシ２に固定され、且つ、磁気テープＴを円筒状の外周面３ａに沿って所定の角度（略１８０°）に亘って螺旋状に巻き付けるためにリード３ｂを形成した円筒状の固定ドラム３と、円筒状の外周面４ａに添接した磁気テープＴを固定ドラム３と対向するヘッド取り付け面４ｂに一体的に取り付けた複数の磁気ヘッド５，５で記録／再生しながら固定ドラム３に対してボールベアリング６，６を介して軸７を中心に高速に回転する円筒状の回転ドラム４と、磁気ヘッド５の記録／再生信号を授受するために固定ドラム３と回転ドラム４とに互いに対向して僅かの隙間だけ隔てて夫々取り付けた一対のトランス８，８とで概略構成されている。尚、軸７の上端側には回転ドラム４を高速に回転させるためのモータ（図示せず）が取り付けられている。
【０００５】
この際、円筒状回転体となる回転ドラム４は、高速回転時に立上がりを早めたり、あるいは高速回転からの停止を早めるために、慣性モーメントをできるだけ小さくする必要があり、これに伴って例えば上面４ｃ側に円形凹部４ｄを肉抜き形成し、且つ、この円形凹部４ｄの外側の上面側外周部４ｅをリング状に形成している。
【０００６】
そして、図２に示した如く、上記した形状の回転ドラム４は、円形凹部４ｄ側と対応する上コア１１と、ヘッド取り付け面４ｂ側と対応する下コア１２とからなる一対の金型１０を用いて金型セパレート面Ｓを回転ドラム４の上面４ｃ側に設定して、アルミダイキャスト加工により成形している。この際、回転ドラム４の円形凹部４ｄ側は上コア１１によって形成され、一方、ヘッド取り付け面４ｂ側は下コア１２によって形成されている。その後、回転ドラム４は、外周面４ａ及びヘッド取り付け面４ｂ並びにボールベアリング取り付け部位を機械加工により精度良く仕上げている。
【０００７】
【発明が解決しようとする課題】
ところで、上記した円筒状回転体となる回転ドラム４は、上面４ｃ側に円形凹部４ｄを肉抜き形成することにより慣性モーメントを小さくすることができるものの、上コア１１と下コア１２とからなる一対の金型１０を用いて金型セパレート面Ｓを回転ドラム４の上面４ｃ側に設定して、回転ドラム４をアルミダイキャスト加工により成形する際、円形凹部４ｄと対応する側の上コア１１が下コア１２に対して金型セパレート面Ｓに沿って矢印の径方向に型ずれすることがある。このように、上コア１１が径方向にずれると、図２に示した如く、リング状の上面側外周部４ｅが型ずれ方向によって一方の▲１▼部位は肉薄になり、他方の▲２▼部位は肉厚になってしまうので、上面側外周部４ｅに重量バランスずれが発生してしまう。この状態で回転ドラム４を高速に回転させると、重量バランスの悪化に伴う振動が発生するので、これを避けるために他方の▲２▼部位の上面側外周部４ｅの肉厚部位を切削加工により削り取っているため、回転ドラム４の製造コストが増加してしまう。
【０００８】
そこで、円形凹部４ｄと対応する側の上コア１１が金型セパレート面Ｓに沿って径方向にずれることにより重量バランスずれが発生しても、これを補正（相殺）することができる円筒状回転体が望まれている。
【０００９】
【課題を解決するための手段】
本発明は上記課題に鑑みなされたものであり、回転中心（Ｏ）とリング状の外壁部（４ｅ）とを有し、上コア（１１）及び下コア（１２）の一対の金型（１０）で成形されて成る円筒状回転体（４）において、
リング状リブ部であって、前記上コア（１１）により前記外壁部（４ｅ）の内周面（４ｄ）と共に形成され、前記外壁部（４ｅ）の内径の中心である第１の中心を中心とした内径及び外径を有するリング状リブ部（４ｆ）を前記外壁部（４ｅ）内に備え、前記外壁部（４ｅ）の外周面（４ａ）を、該外壁部（４ｅ）の外径の中心である第２の中心と前記第１の中心とを偏心させると共に前記第２の中心を前記回転中心（Ｏ）として前記下コア（１２）で形成することにより回転時の重量バランスをとって成ることを特徴とする円筒状回転体（４）を提供するものである。
【００１０】
【発明の実施の形態】
以下に本発明に係る円筒状回転体の一実施例を図３を参照して詳細に説明する。
【００１１】
図３は本発明に係る円筒状回転体である回転ドラムを説明するための縦断面である。尚、説明の便宜上、先に従来例で示した構成部材と同一構成部材に対しては同一の符号を付して適宜説明し、且つ、従来例と異なる構成部位に新たな符号を付すと共に、この実施例では従来例と異なる点を中心に説明する。
【００１２】
図３に示した如く、円筒状回転体となる回転ドラム４は、従来と同様に一つの面側となる上面４ｃ側に後述する上コア１１の径方向のずれがない場合に回転中心Ｏと同心となる円形凹部４ｄを肉抜き形成することにより慣性モーメントを小さく設定しており、且つ、この円形凹部４ｄの外側の上面側外周部４ｅをリング状に形成している。
【００１３】
そして、上記した形状の回転ドラム４は、円形凹部４ｄ側と対応する上コア１１と、ヘッド取り付け面４ｂ側と対応する下コア１２とからなる一対の金型１０を用いて金型セパレート面Ｓを回転ドラム４の上面４ｃ側に設定して、アルミダイキャスト加工により成形している。尚、回転ドラム４は、二点鎖線で示した部位（外周面４ａ及びヘッド取り付け面４ｂ並びにボールベアリング取り付け部位）を機械加工により精度良く仕上げている。
【００１４】
ここで、従来と異なる点を説明すると、回転ドラム４の円形凹部４ｄと対応する側の上コア１１の径方向ずれによるリング状の上面側外周部４ｅの重量バランスずれを補正（相殺）するために、円形凹部４ｄ内にリング状のリブ部４ｆを上コア１１の径方向のずれがない場合に回転中心Ｏと同心となるように突出形成したことを特徴とするものである。この際、回転ドラム４の円形凹部４ｄ及びリブ部４ｆは上コア１１によって形成されている。
【００１５】
即ち、図３において、上面側外周部４ｅの内周面と、リング状のリブ部４ｆの外周面及び内周面を下記のように示すと、ｂ，ｄ，ｆ，ｈ，ｋ，ｎ（点線図示）は、上コア１１の型ずれが無い場合、ａ，ｃ，ｅ，ｇ，ｊ，ｍ（実線図示）は、上コア１１が矢印方向にずれた場合、とする。
【００１６】
そして、上コア１１が下コア１２に対して金型セパレート面Ｓに沿って矢印の径方向に型ずれした場合には、ｂ→ａ，ｄ→ｃ，ｆ→ｅ，ｈ→ｇ，ｋ→ｊ，ｎ→ｍに夫々移動するものとする。
【００１７】
従って、ｂ→ａによる上面側外周部４ｅの肉薄による重量低下は、ｆ→ｅ，ｄ→ｃによるリブ部４ｆの半径の拡大に伴う重量の増加で補正（相殺）されるので、ｂ→ａの肉薄による重量低下の補正に働く。言い換えると、回転中心Ｏより図示左側では上面側外周部４ｅの肉薄による重量低下分をリブ部４ｆによる重量増加分で補正できることになる。
【００１８】
一方、ｎ→ｍによる上面側外周部４ｅの肉厚大による重量増加は、ｈ→ｇ，ｋ→ｊによるリブ部４ｆの半径の減少に伴う重量の低下で補正（相殺）されるので、ｎ→ｍの肉厚大による重量増加の補正に働く。言い換えると、回転中心Ｏより図示右側では上面側外周部４ｅの肉厚大による重量増加分をリブ部４ｆによる重量低下分で補正できることになる。
【００１９】
この際、回転ドラム４のリング状のリブ部４ｆは、上面側外周部４ｅにできるだけ近づけた径で形成し、且つ、リブ部４ｆの高さは円形凹部４ｄの深さにできるだけ近づければ良いものであるが、この円形凹部４ｄの近傍に取り付けるモータ（図示せず）を避けるためにリブ部４ｆを図示の如くの形状に形成しも良い。
【００２０】
上述したように、回転ドラム４の上面４ｂ側の円形凹部４ｄ内にリング状のリブ部４ｆを上コア１１の径方向のずれがない場合に回転中心Ｏと同心となるように突出形成することにより、円形凹部４ｄと対応する側の上コア１１の径方向ずれによる重量バランスずれの発生を補正することができ、回転ドラム４を先に説明した回転ヘッド装置１（図１）に適用して、この回転ドラム４を高速に回転させても振動が全く生じない。また、上コア１１の径方向ずれによる重量バランスずれの発生を補正することができるので、これに伴う切削加工が不要となり、回転ドラム４を安価に製造できる。
【００２１】
尚、本実施例では一つの面側に円形凹部を肉抜き形成した円筒状回転体を、回転ドラム４に適用して説明したが、これに限ることなく、略同形状のギアなどに適用できるものである。
【００２２】
【発明の効果】
以上詳述した本発明に係る円筒状回転体によると、円筒状回転体を高速に回転させても振動が全く生じない。また、円筒状回転体の円形凹部と対応する側の金型の径方向ずれによる重量バランスずれの発生を補正することができるので、これに伴う切削加工が不要となり、円筒状回転体を安価に製造できる。
【図面の簡単な説明】
【図１】（Ａ），（Ｂ）は円筒状回転体を適用した回転ヘッド装置の構成を説明するための上面図，縦断面図である。
【図２】一つの面側に円形凹部を形成した回転ドラム（円筒状回転体）を一対の金型を用いて成形する際、円形凹部と対応する側の金型が径方向にずれることによる重量バランスずれが生じる理由を説明するための図である。
【図３】本発明に係る円筒状回転体である回転ドラムを説明するための縦断面である。
【符号の説明】
１…回転ヘッド装置、４…円筒状回転体（回転ドラム）、４ｃ…上面、４ｅ…リング状の上面側外周部、４ｄ…円形凹部、４ｅ…上面側回収部、４ｆ…リング状のリブ部、１０…一対の金型、１１…上コア、１２…下コア、Ｏ…回転中心、Ｓ…金型セパレート面。
【図１】
0003575662.tif 000002
【図２】
0003575662.tif 000003
【図３】
0003575662.tif 000004